(57)【要約】【課題】小型で耐衝撃性能に優れたディスク駆動装置を提供する。【解決手段】スロットローディング型の光ディスク駆動装置１において、光ピックアップ２５のガイド軸４１の端部を押圧する押圧バネ６７の変形・破損がないように、脱落防止片（変位規制部材６８）を設ける。脱落防止片６８は、押圧バネ６７の押圧方向と垂直な投影面において、脱落防止片６８と押圧バネ６７が少なくとも一部は重なる位置に各部品を配置する。外部からの衝撃で押圧バネ６７が押圧方向と逆方向に変形しようとしたとき、脱落防止片６８と接触し塑性変形が防止される。【選択図】図４
2013051008.tif 000002
【特許請求の範囲】
【請求項１】
筐体内に、ディスクを回転駆動するためのスピンドルモータ，前記スピンドルモータにより回転され、外部より搬送配置されたディスクをクランプするターンテーブル， ディスクに情報を記録又は情報を再生する光ピックアップ， 及び前記ピックアップを前記搬送配置されたディスクの径方向に移動可能に支持するガイド軸を搭載したメカユニットシャーシを収容し、該メカユニットシャーシを筐体内に上下動可能に保持してなるディスク駆動装置であって、
前記ガイド軸の、前記搬送配置されたディスクのディスク中心部側の軸部分に形成された軸幅方向に相対する一対の凹部と、
該一対の凹部の中の一方の凹部を付勢支持する軸支持部材と、
前記一対の凹部の中の他方の凹部を、前記軸支持部材による付勢方向と逆方向に押圧する軸保持部材と、
該軸保持部材に係合され、前記軸保持部に形成された前記他方の凹部と当接する押圧部の高さ位置を調整する高さ調整部材と
を有し、
前記高さ調整部材の前記軸保持部材との係合部を、前記ガイド軸の軸断面と軸長方向に重なるように配置した
ことを特徴とするディスク駆動装置。
【請求項２】
請求項１に記載のディスク駆動装置であって、
前記軸保持部材の前記押圧部が配置された、前記ガイド軸の前記他方の凹部には、前記軸保持部材の変形を規制する変位規制部材を、前記軸幅方向に重ねて間隔を空けて配置した、
ことを特徴とするディスク駆動装置。
【請求項３】
請求項１又は２のいずれかに記載のディスク駆動装置であって、
前記変位規制部材が２点以上で前記メカユニットシャーシ又はこれに搭載された部品に固定されている
ことを特徴とするディスク駆動装置。
【請求項４】
請求項１から３のいずれかに記載のディスク駆動装置において、
挿入された前記光ディスクを前記ターンテーブルへクランプし、また前記光ディスクを前記ターンテーブルからクランプ解除して装置の外部へ排出するスロットローディング機構を備えている
ことを特徴とするディスク駆動装置。
【発明の詳細な説明】
【技術分野】
【０００１】
本発明は、ディスク駆動装置に係り、特に、外部から受けた衝撃によって内部部品に変形や破損等が生じてしまうのを防止する技術に関する。
【背景技術】
【０００２】
近年、ＣＤ（Compact Disc），ＤＶＤ（Digital Versatile Disc），ＢＤ（Blu-ray Disc）に代表されるように、円盤状記録媒体としての光ディスクは、情報記録密度が向上し、高密度記録・再生が可能になっている。通常、円盤状記録媒体の記録面には、記録領域に係る単位の１つであるトラックが同心円状に多数形成されている。光ディスクの場合、そのトラックピッチは、ＣＤで１．６μｍ，ＤＶＤで０．７４μｍ，ＢＤで０．３２μｍである。
【０００３】
この円盤状記録媒体に対して情報の記録・再生を行うディスク駆動装置では、所望のトラックに対してデータの書込・読出を行う記録・再生機構部を構成するに当たり、高精度の部品位置決め技術や実装技術が必要となる。特に、光ディスク駆動装置の場合、記録・再生機構部の光ピックアップと装置筐体内部に搬入された光ディスクの記録面との相対角度は、高精度で調整される必要がある。
【０００４】
そこで、光ディスク駆動装置では、光ディスクの記録面に対する光ピックアップの取付角度の調整機構が、その記録・再生機構部に備えられている。通常、この調整機構は、光ディスクの径方向に沿った光ピックアップの往復直線移動を案内するため、光ピックアップの両側にその移動方向に沿って互いに平行配置された一対のガイド軸に係り、ガイド軸の軸片端又は軸両端それぞれの支持高さ位置を調整することによって、一対のガイド軸により摺動可能に支持された光ピックアップの、光ディスクの記録面に対する取付角度を調整できる構成になっている。
【０００５】
一方で、ディスク駆動装置では、外部から衝撃を受けた際、その衝撃によって上述した調整機構を含む記録・再生機構部を構成する内部部品に破損や微小な変形が生じると、予め高い精度で調整された内部部品の配置にズレが生じることになり、情報の記録・再生性能の劣化を招く。
【０００６】
例えば、光ディスク記録装置の調整機構に係り、支持高さ位置が調整された軸支持部にガイド軸の軸端部を弾性的に押し付けて保持する軸保持部が、外部からの衝撃により変形してしまった場合は、軸端部は軸保持部によって軸支持部に対して押し付けられなくなり、軸端部の支持高さ位置の正確な位置決めができなくなる。これにより、ガイド軸の支持高さ位置は変化してしまい、このガイド軸により摺動可能に支持された光ピップアップの、光ディスクの記録面に対する取付角度にもずれが生じるようになって、ディスク記録装置の記録・再生性能が劣化する問題が生じる。さらに、大きな衝撃を受けた場合には、軸保持部が軸端部を軸支持部に保持しておくことができなくなり、軸支持部からガイド軸が脱落してしまう可能性もある。
【０００７】
そこで、従前から、上述した調整機構を含むディスク駆動装置の記録・再生機構部には、高性能な耐衝撃性能が求められていた。
【０００８】
特許文献１には、調整機構の耐衝撃性能を向上させる技術として、ガイド軸を軸支持部へ弾性的に押える弾性片からなる軸保持部と、ガイド軸が係合して軸支持部から外れるのを阻止するガイド軸脱落防止用の突起とを、軸支持部と一体のブラケット上に、軸支持部とはガイド軸の軸長方向に位置をずらせて並べて設ける構造が開示されている。さらに、軸保持部とガイド軸脱落防止用の突起とが同一の板材で一体的に形成された構造も開示されている。
【０００９】
また、特許文献２には、ガイド軸の軸長方向に、軸支持部及び軸保持部を挟んだ両側に分けて、ガイド軸脱落防止用のガイド軸の端面当接片とガイド軸の周面当接片とを設け、特許文献１に記載のガイド軸脱落防止用の突起を、ガイド軸の端面当接片とガイド軸の周面当接片とに機能的に分けた構造が開示されている。
【００１０】
ところで、上述した光ディスク記録装置を含むディスク駆動装置にあっては、更なる小型化や軽量化、並びに低コスト化の要求により、装置構造を簡素化する必要もある。そのため、外部衝撃から内部部品の破損や微小変形を防ぐためだけに、材料選択や補強構造により部品強度を確保することは難しくなってきている。
【００１１】
この問題については、ディスク駆動装置の中でも、ディスクを装置筐体の挿入口から挿入するとディスクを自動的に装置筐体内の所定の処理位置までローディング（搬送）する、いわゆるスリムスロットイン方式のディスク駆動装置が、その固有構成から顕著である。その理由は、現在普及しているスリムスロットイン方式のディスク駆動装置のほとんどは、装置筺体の挿入口を正面に横長に眺めたときの装置厚さが１２．７ｍｍや９．５ｍｍといった統一された規格で製造されており、装置筐体やその内部部品には０．１ｍｍオーダーでの薄型設計が求められていることによる。
【００１２】
一般に、スリムスロットイン方式のディスク駆動装置では、ローディングされた光ディスクをチャッキングしたり、記録又は再生動作のために回転可能な状態にするため、装置筐体内部に搭載されたメカユニット（前述の記録・再生機構部に対応）が装置筐体内で昇降動作若しくは傾動動作する構成になっている。
【００１３】
そのため、スリムスロットイン方式のディスク駆動装置では、薄型の装置筺体内部に、さらにメカユニットの昇降スペース若しくは傾動スペースを確保しなければならず、同じ装置筐体の厚さであっても、他の方式のディスク駆動装置よりも、メカユニットを薄型に設計する必要がある。したがって、メカユニットにおける前述した軸支持部及び軸保持部によるガイド軸の支持構造も薄型化する必要があり、部材の肉厚化等による高剛性化が難しい。
【先行技術文献】
【特許文献】
【００１４】
【特許文献１】特開平８−２１２７２５号公報
【特許文献２】特開２００７−６６４３０号公報
【発明の概要】
【発明が解決しようとする課題】
【００１５】
上述したように、更なる小型化や軽量化等の要求に拘束されないならば、材料選択や補強構造により部品強度を確保する従来の手法を適用することにより、外部から衝撃を受けた際の軸支持部からのガイド軸の脱落防止や、ガイド軸を軸支持部へ弾性的に押える弾性片からなる軸保持部の変形低減が可能である。
【００１６】
しかし、特許文献１に示すような、弾性片からなる軸保持部と、ガイド軸が係合して軸支持部から外れるのを阻止するガイド軸脱落防止用の突起とを、軸支持部と一体のブラケット上に軸支持部とはガイド軸の軸長方向に位置をずらせて並べた構造では、衝撃を受けた際は、軸保持部の押え力に抗してガイド軸を軸支持部から外そうと作用する力を、ガイド軸脱落防止用の突起が受け止めようとする。そのため、衝撃が大きな場合は、このガイド軸脱落防止用の突起だけで、ガイド軸を軸支持部から外そうと作用する力を受け止めることになり、ガイド軸脱落防止の突起ごと、軸支持部が変形する懸念がある。
【００１７】
また、特許文献２に示すような、ガイド軸の軸長方向に、支持部及び軸保持部を挟んだ両側に分けて、ガイド軸脱落防止用のガイド軸の端面当接片とガイド軸の周面当接片とを設けた構造では、特許文献１に示したガイド軸脱落防止用の突起と比較して、ガイド軸の支持構造全体が大型化する。
【００１８】
本発明は、上記した問題点を鑑みなされたものであって、装置構造の小型化をはかりつつ、外部から衝撃を受けた際の内部部品の変形や破損等を防止する耐衝撃性能の向上をはかったディスク駆動装置を提供することを目的とする。
【課題を解決するための手段】
【００１９】
本発明に係るディスク駆動装置は、上述した課題を解決するために、筐体内に、ディスクを回転駆動するためのスピンドルモータ，スピンドルモータにより回転され、外部より搬送配置されたディスクをクランプするターンテーブル， ディスクに情報を記録又は情報を再生する光ピックアップ， 及びピックアップを搬送配置されたディスクの径方向に移動可能に支持するガイド軸を搭載したメカユニットシャーシを収容し、メカユニットシャーシを筐体内に上下動可能に保持してなるディスク駆動装置であって、ガイド軸の、搬送配置されたディスクのディスク中心部側の軸部分に形成された軸幅方向に相対する一対の凹部と、一対の凹部の中の一方の凹部を付勢支持する軸支持部材と、一対の凹部の中の他方の凹部を、軸支持部材による付勢方向と逆方向に押圧する軸保持部材と、軸保持部材に係合され、軸保持部に形成された他方の凹部と当接する押圧部の高さ位置を調整する高さ調整部材とを有し、高さ調整部材の軸保持部材との係合部を、ガイド軸の軸断面と軸長方向に重なるように配置したことを特徴とする。
【発明の効果】
【００２０】
本発明によれば、搭載された光ピックアップのガイド軸支持機構が外部からの衝撃を受けた際の変形・破損を防止することができる。
【００２１】
また、従来の手法を用いた構造よりも小型のガイド軸支持機構を実現することができる。
【００２２】
これにより、記録再生性能に関して信頼性が高く、安価で小型であるディスク駆動装置を提供することができる。
【図面の簡単な説明】
【００２３】
【図１】本発明の一実施の形態に係るスリムスロットイン方式の光ディスク駆動装置の大略構成を示した分解斜視図である。
【図２】図１に示した光ディスク駆動装置に係り、装置筺体内でのメカユニットの位置状態を模式的に示した図である。
【図３】図１に示したブラケットリンクに上下動可能に支持されたメカユニットの下面の構造を示した斜視図である。
【図４】図３に示したメカユニットのガイド主軸及びガイド副軸それぞれの各軸端部に配置される、スキュー調整機構部を備えたガイド軸支持機構の一実施例の構成図である。
【図５】比較例に係る光ディスク駆動装置のメカユニットに設置されたスキュー調整機構部を備えたガイド軸支持機構の構成図である。
【図６】脱落防止片としてモータプレートの一部を利用したスキュー調整機構の構造を示した斜視図である。
【図７】脱落防止片としてシャーシの一部を利用したスキュー調整機構の構造を示した斜視図である。
【発明を実施するための形態】
【００２４】
以下、本発明のディスク駆動装置の一実施の形態について、スリムスロットイン方式の光ディスク記録装置を例に、図面に基づいて説明する。光ディスク駆動装置は、直径１２０ｍｍ、厚さ１．２ｍｍのＣＤ（Compact Disc），ＤＶＤ（Digital Versatile Disc），ＢＤ（Blu-ray Disc）といった、円盤状記録媒体としての光ディスクの記録面に対し、情報の記録・再生を光学的に行う装置である。なお、説明にあたっては、各図間で同一又は同様な構成については同一符号を付し、その詳細についての重複説明は省略する。
【００２５】
図１は、本発明の一実施の形態に係るスリムスロットイン方式の光ディスク駆動装置の大略構成を示した分解斜視図である。
【００２６】
図１において、光ディスク駆動装置１は、トップケース１１とボトムケース１２とを一体的に締結して形成される装置筺体１０に、メカユニット２０，ブラケットリンク５０等の機器構成を収容して構成されている。本実施の形態の場合、装置筺体１０の大きさ，形状は、概ね、幅１３０ｍｍ，奥行１３０ｍｍ，高さ（厚さ）１２．７ｍｍ（あるいは、９．５ｍｍ）の薄型箱体形状で、モバイル型パーソナルコンピュータに装備されるスリム型ドライブ、或いはスーパスリム型ドライブと呼ばれている光ディスク駆動装置に該当する。
【００２７】
装置筺体１０は、光ディスク駆動装置１の正面に該当する一側面が開放され、開口部１３が形成されている。開口部１３には、ベゼル１４が取り付けられ、開口部１３の内方、すなわち装置筺体１０内部は、外部に対して隠蔽されている。ベゼル１４には、光ディスク２（後述する図２（ｂ）参照）の装置筺体１０内部に対する挿入・排出口として、スリット１５が形成されている。ベゼル１４には、装置筺体１０の内部に収納されている光ディスク２を排出させるときに操作するイジェクトボタン（図示省略）も設けられる。また、光ディスク駆動装置１の背面に該当する、ベゼル１４が設けられた側と反対側の装置筺体１０の他側面には、端子孔１６が形成されている。
【００２８】
図中に矢示したＸ軸方向，Ｙ軸方向，Ｚ軸方向それぞれは、ベゼル１４が取り付けられる装置筺体１０の開口部１３を正面に眺めた、装置筺体１０すなわち光ディスク駆動装置１の奥行（長手）方向，幅方向，高さ（厚さ）方向それぞれに該当する。この場合、光ディスク駆動装置１の奥行（長手）方向（Ｘ軸方向）は、装置筺体１０に対する光ディスク２の挿入・排出方向、すなわち搬入・搬出方向に該当する。
【００２９】
メカユニット２０は、光ディスク駆動装置１の記録・再生機構部を構成し、メカユニットシャーシ２１に、ターンテーブル２３，スピンドルモータ２４，光ピックアップ２５，光ピックアップガイド機構４０、等が搭載された構成になっている。
【００３０】
メカユニットシャーシ２１には、メカユニット２０がブラケットリンク５０に支持されて装置筺体１０内に配置された際に、光ディスク２の中心部から外周側に向かってディスク径方向に延びる開口部２２が形成されている。
【００３１】
ここで、メカユニットシャーシ２１に形成した開口部２２の長手方向をｘ０軸方向、この開口部２２の長手方向と垂直な開口部２２の幅方向をｙ０軸方向、このｘ０軸方向及びｙ０軸方向に対して垂直なメカユニットシャーシ２１の厚さ方向をｚ０軸方向とすると、メカユニットシャーシ２１には、装置筺体１０内に搬入され配置された光ディスク２の中心部と対面する、開口部２２のｘ０軸方向の一端側部分に、ターンテーブル２３，スピンドルモータ２４が配設される。ターンテーブル２３は、装置筺体１０内に配置された光ディスク２の中心孔２ａ（後述する図２（ｂ）参照）にクランパを挿入して光ディスク２をクランプし、光ディスク２を回転可能にチャッキング支持する。スピンドルモータ２４は、光ディスク２をチャッキング支持したターンテーブル２３を回転させる。
【００３２】
また、メカユニットシャーシ２１に形成した開口部２２には、対物レンズ２６を装置筺体１０内に搬入された状態の光ディスク２の記録面に臨ませて、光ピックアップ２５が設けられている。光ピックアップ２５は、ターンテーブル２３及びスピンドルモータ２４が配設された開口部１３の残り部分を長手方向（ｘ０軸方向）に沿って移動可能に、光ピックアップガイド機構４０を介してメカユニットシャーシ２１に支持されている。
【００３３】
ブラケットリンク５０は、装置基盤を構成する基盤シャーシ５１に、スロットローディング機構（図示省略），装置回路基板（図示省略），外部接続端子５５、等が搭載された構成になっている。そして、基盤シャーシ５１には、メカユニット２０が装着される開口部５２が形成されている。
【００３４】
開口部５２は、ブラケットリンク５０が装置筺体１０のトップケース１１及びボトムケース１２にネジ締結されて取り付けられた状態で、開口部５２に装着されたメカユニット２０のｘ０ｙ０ｚ０座標系が装置筺体１０のＸＹＺ座標系をそのＺ軸周りに所定の鋭角角度で回転させた状態となるように、装置筺体１０ 内に配置された光ディスク２の径方向に、光ディスク２の搬入・搬出方向（Ｘ軸方向）に対して斜めに延びるようにして形成されている。
【００３５】
メカユニット２０は、メカユニットシャーシ２１に設けられたそれぞれ一対の支持ピン２７ａ，２７ｂ及び防振脚２８ａ，２８ｂの４か所をブラケットリンク５０に支持されて、装置筺体１０内に配置された光ディスク２に対面するように、基盤シャーシ５１の開口部５２に装着されている。
【００３６】
このブラケットリンク５０に対する装着状態で、メカユニットシャーシ２１の開口部２２の長手方向（ｘ０軸方向）が装置筺体１０内に配置された光ディスク２の径方向と対応するようになり、そのターンテーブル２３及びスピンドルモータ２４が配設された一端側が光ディスク２の中心孔２ａ部分に対面するようになる。
【００３７】
一対の支持ピン２７ａ，２７ｂは、メカユニットシャーシ２１の長手方向（ｘ０軸方向）に、ターンテーブル２３及びスピンドルモータ２４が設けられた側のメカユニットシャーシ２１の側面部分に突設配置されている。各支持ピン２７ａ，２７ｂは、基盤シャーシ５１に搭載された図示せぬスロットローディング機構の対応する傾斜孔に係合され、ブラケットリンク５０に支持される。各支持ピン２７ａ，２７ｂは、スロットローディング機構の作動に連動して、対応する傾斜孔内をその傾斜に沿って相対移動させられるようになっている。
【００３８】
そして、この一対の支持ピン２７ａ，２７ｂそれぞれが対応する傾斜孔内をその傾斜に沿って相対移動させられることによって、メカユニットシャーシ２１の長手方向（ｘ０軸方向）のターンテーブル２３及びスピンドルモータ２４が設けられた側のメカユニット２０部分が、装置筺体１０内に配置された光ディスク２の盤面に対し、この相対移動に対応して上下動する構成になっている。
【００３９】
これに対し、一対の防振脚２８ａ，２８ｂは、メカユニットシャーシ２１の長手方向（ｘ０軸方向）に、ターンテーブル２３及びスピンドルモータ２４が設けられた側とは反対側のメカユニットシャーシ２１の側面部分に突設配置されている。一対の防振脚２８ａ，２８ｂは、基盤シャーシ５１に取り付けられて、ブラケットリンク５０に支持される。防振脚２８ａ，２８ｂは、支持ピン２７ａ，２７ｂの上述した相対移動に追従可能にして、ターンテーブル２３及びスピンドルモータ２４が設けられた側のメカユニット２０の長手方向（ｘ０軸方向）部分の、装置筺体の高さ（厚さ）方向（Ｚ軸方向）に係る上下動による振動を吸収する。これにより、スロットローディング機構の作動に連動して、メカユニット２０の長手方向（ｘ０軸方向）のターンテーブル２３及びスピンドルモータ２４が設けられた側の部分が、安定した上下移動を行える構成になっている。
【００４０】
また、ターンテーブル２３及びスピンドルモータ２４が設けられた側のメカユニットシャーシ２１の長手方向（ｘ０軸方向）部分には、開口部２２と連接し又は開口部２２とは独立するようにして、ボトムケース１２の底面１２ｐに立設されたクランプ解除ピン１７が挿入される挿通孔２９が形成されている。クランプ解除ピン１７は、メカユニット２０の長手方向（ｘ０軸方向）のターンテーブル２３及びスピンドルモータ２４が設けられた側の部分が下降変位させられた際、ピン先端部分が、挿通孔２９の開口から光ディスク２に対向する側へ相対的に突出する構成になっている。
【００４１】
図示省略したスロットローディング機構は、ディスクアーム５３ａ，イジェクトアーム５３ｂ，インサートアーム５３ｃといったディスク搬送アーム５３、等を有する。各ディスク搬送アーム５３は、スロットローディング機構に備えられたモータ若しくはリンク機構により駆動され、相互に連動しながら揺動変位する。各ディスク搬送アーム５３は、ベゼル１４のスリット１５から挿入された光ディスク２を、図示省略した支持レバーにより支持しながら、装置筺体１０内のクランプ位置まで搬入したり、又は、装置筺体１０内のクランプ位置に配置された光ディスク２を、ベゼル１４のスリット１５から外部に搬出したりする。
【００４２】
図示省略した装置回路基板は、光ディスク駆動装置１のスロットローディング機構，メカユニット２０，等の各部に設けられている駆動部や検出部を制御し、光ディスク２の情報記録面に対する情報の記録・再生動作を制御する。装置回路基板は、光ディスク駆動装置１の各部に設けられている駆動部や検出部と配線接続されている。装置回路基板は、例えば、フレキシブルプリント基板で形成されている。
【００４３】
外部接続端子５５は、装置回路基板と配線接続されて、装置筺体１０の端子孔１６に臨ませて設けられている。外部接続端子５５は、外部機器との間での再生・記録情報の送受信や、制御信号の交信に利用される。
【００４４】
次に、上述したスリムスロットイン方式の光ディスク駆動装置１に係り、光ディスク２の搬入・搬出動作について説明する。
【００４５】
図２は、図１に示した光ディスク駆動装置に係り、装置筺体内でのメカユニットの状態を模式的に示した図である。
【００４６】
図２（ａ）は、装置筺体の内部に未だ光ディスクが搬入されていない状態の、光ディスクをクランプしていないメカユニットの待機状態を示し、図２（ｂ）は、装置筺体の内部に光ディスクが搬入された状態の、光ディスクをクランプしているメカユニットの記録再生位置状態を示している。
【００４７】
図２は、図１に示した光ディスク駆動装置１を幅方向（Ｙ軸方向）に、装置筺体１０内のメカユニット２０を眺めた状態に該当する。なお、図中においては、メカユニット２０の状態を理解容易にするため、図１に示したメカユニット２０を支持するブラケットリンク５０は図示省略してある。
【００４８】
光ディスク２をクランプしていない待機状態では、メカユニットシャーシ２１の一対の支持ピン２７ａ，２７ｂは、図示省略したブラケットリンク５０のスロットローディング機構に設けられた傾斜孔内を一側、すなわち下降側に相対移動しているピン状態にある。そのため、メカユニット２０は、図２（ａ）に示すように、ターンテーブル２３及びスピンドルモータ２４が設けられた側の、メカユニット２０の長手方向（ｘ０軸方向）の光ディスク２の中心孔２ａに対面する部分が、装置筺体１０の高さ（厚さ）方向（Ｚ軸方向）に下降した状態となっている。そのため、装置筺体１０の奥行方向（Ｘ軸方向）及び幅方向（Ｙ軸方向）により規定されるＸ−Ｙ平面に平行な、ベゼル１４のスリット１５部分を通る平面を、光ディスク２の搬入・搬出の基準面とすると、メカユニット２０はこの基準面に対して傾いた状態になっている。
【００４９】
このような待機状態で、ベゼル１４のスリット１５から光ディスク２が挿入されると、図１に示したブラケットリンク５０の基盤シャーシ５１に搭載されたスロットローディング機構が作動し、そのディスク搬送アーム５３（５３ａ，５３ｂ，５３ｃ）が搬入作動する。このディスク搬送アーム５３の搬入作動により、光ディスク２は、その盤面を基準面と略平行に保たれながら、その中心孔２ａがブラケットリンク５０に支持されたメカユニット２０のターンテーブル２３と略一致する位置する位置にまで搬送され、装置筺体１０内に配置される。
【００５０】
その後、このスロットローディング機構の作動に連動して、メカユニットシャーシ２１の支持ピン２７ａ，２７ｂが、スロットローディング機構に設けられた傾斜孔内を一側すなわち下降側に相対移動しているピン状態から、傾斜孔内を他側すなわち上昇側に相対移動しているピン状態に相対変位し、図２（ｂ）に示すように、メカユニット２０の長手方向（ｘ０軸方向）の光ディスク２の中心孔２ａに対面する側の部分が上昇し、メカユニット２０は前述の基準面に対した傾いた状態を解消する。これにより、メカユニットシャーシ２１の長手方向（ｘ０軸方向）及び幅方向（ｙ０軸方向）により規定されるｘ０−ｙ０平面をメカユニット２０の基準面とすると、メカユニット２０の基準面（ｘ０−ｙ０平面）が、装置筺体１０における光ディスク２の搬入・搬出の基準面（Ｘ−Ｙ平面）と平行に、略一致する状態になる。
【００５１】
そして、この装置筺体１０の基準面（Ｘ−Ｙ平面）に対するメカユニット２０の傾き状態が解消されるのに伴って、ターンテーブル２３はクランパを光ディスク２の中心孔２ａに挿入して光ディスク２をクランプし、光ディスク２を回転可能にチャッキング支持する。これにより、光ディスク２は、搬入された装置筺体１０内で、スピンドルモータ２４によって回転可能な状態になる。
【００５２】
この装置筺体１０内で光ディスク２がメカユニット２０のターンテーブル２３にクランプされ回転可能な状態では、メカユニットシャーシ２１の開口部２２の長手方向（ｘ０軸方向）、ひいてはメカユニット２０の長手方向（ｘ０軸方向）は、ターンテーブル２３に支持された状態の光ディスク２の径方向と合致する状態になる。
【００５３】
逆に、図２（ｂ）に示すように、装置筺体１０内部に収容された光ディスク２を外部に取り出すときには、ベゼル１４に設けられたイジェクトボタンを操作する。これにより、スピンドルモータ２４が回転停止され、スロットローディング機構は、今度は反対に、メカユニットシャーシ２１の支持ピン２７ａ，２７ｂを、スロットローディング機構に設けられた傾斜孔内を、他側すなわち上昇側に相対移動している状態から一側にすなわち下降側に相対移動している状態に移動変位させる。これにより、メカユニット２０の長手方向（ｘ０軸方向）の光ディスク２の中心孔２ａに対面する側の部分が下降する。これに伴い、クランプ解除ピン１７のピン先端部分がメカユニットシャーシ２１の挿通孔２９の開口から相対的に突出する状態になる。この結果、光ディスク２は、クランプ解除ピン１７の当接によってメカユニット２０と一体の下降を規制されてターンテーブル２３から引き離され、クランプを解除される。そして、今度はディスク搬送アーム５３が搬出作動することにより、ターンテーブル２３とのクランプを解除された光ディスク２は、その盤面を装置筺体１０における搬入・搬出の基準面（Ｘ−Ｙ平面）に保たれながら搬送され、ベゼル１４のスリット１５から外部に搬出される。
【００５４】
このように、スリムスロットイン方式の光ディスク駆動装置１にあっては、光ディスク２の装置筺体１０に対する搬入・搬出時に、メカユニット２０の長手方向（ｘ０軸方向）の光ディスク２の中心孔２ａに対面する側の部分の上下動、すなわち昇降を伴うため、その昇降に必要な空間を装置筺体１０の内部に確保しておく必要がある。そのため、スリムスロットイン方式の光ディスク駆動装置１においては、メカユニット２０の長手方向（ｘ０軸方向）の光ディスク２の中心孔２ａに対面する側の部分の構成が、メカユニット２０の高さ（厚さ）方向（ｚ０軸方向）、すなわちターンテーブル２３の回転軸方向に小型（薄型）であることが求められる。
【００５５】
特に図２（ａ）において破線部分Ａで示した、メカユニット２０の長手方向（ｘ０軸方向）の光ディスク２の中心孔２ａ部分に対面する側は、メカユニット２０が下降した状態において最もボトムケース１２の底面１２ｐに近接するメカユニット２０の領域部分となるため、他の長手方向（ｘ０軸方向）の領域部分よりも、ターンテーブル２３の軸方向（ｚ０軸方向）に薄型に形成されている必要がある。そして、メカユニット２０のこの領域部分は、メカユニットシャーシ２１に搭載された光ピックアップガイド機構４０の、後述するガイド軸４１（後述する図３参照）の内周側の端部が配置される部分に該当する。なお、ここでガイド軸４１の内周側とは、メカユニット２０の長手方向（ｘ０軸方向）の光ディスク２の中心孔２ａ部分に対面する側で、ガイド軸４１の両端部の中でスピンドルモータ２４に近い側の端部部分を指す。
【００５６】
次に、図３に基づき、メカユニット２０の光ピックアップガイド機構４０の詳細な構成とスキュー調整機構について説明する。
【００５７】
図３は、図１に示したブラケットリンクに上下動可能に支持されたメカユニットの下面の構造を示した斜視図である。図３に示したメカユニット２０は、図１に示したメカユニット２０を、装置筺体１０の高さ（厚さ）方向（Ｚ軸方向）にボトムケース１２側からトップケース１１側へ眺めたメカユニット２０の下面、すなわちメカユニット２０のボトムケース１２との対向面を斜視した状態に該当する。
【００５８】
ターンテーブル２３（図１参照）を回転させるスピンドルモータ２４は、メカユニットシャーシ２１の長手方向（ｘ０軸方向）の光ディスク２の中心孔２ａに対面する側に、モータプレート３１に搭載されて配置されている。スピンドルモータ２４を搭載したモータプレート３１は、メカユニットシャーシ２１と３か所でボルト締結されてメカユニットシャーシ２１に一体的に固定され、メカユニット２０の下面の一部を形成する。
【００５９】
一方、メカユニットシャーシ２１の開口部２２の幅方向（ｙ０軸方向）の両側には、メカユニットシャーシ２１の開口部２２の長手方向（ｘ０軸方向）に沿って互いに平行に延びる一対のガイド軸４１が配置されている。一対のガイド軸４１は、一方がガイド主軸４１ａとなり、他方がガイド副軸４１ｂになっている。
【００６０】
そして、このガイド主軸４１ａが配置された側のメカユニットシャーシ２１のシャーシ部分には、ガイド主軸４１ａに沿って、メカユニットシャーシ２１の開口部２２の長手方向（ｘ０軸方向）に延びるスクリュシャフト４３が配置されている。スクリュシャフト４３には、ステップモータ４４が付設され、スクリュシャフト４３は、ステップモータ４４の正又は逆回転に応じた回転量だけ、正又は逆回転する構成になっている。
【００６１】
これに対し、光ピックアップ２５側には、ガイド主軸４１ａ，ガイド副軸４１ｂに対応して、これらガイド主軸４１ａ，ガイド副軸４１ｂに摺動可能に係合する係合部４５ａ，４５ｂが、開口部２２の幅方向（ｙ０軸方向）の両側に面して配置されている。その上で、スクリュシャフト４３が配置された側に対応する係合部４５ａには、ガイドフィード４６が設置されている。ガイドフィード４６は、係合部４５ａ，４５ｂがガイド主軸４１ａ，ガイド副軸４１ｂに係合されると、自身の弾性を利用してメカユニットシャーシ２１側のスクリュシャフト４３に押圧され、自身の周面に形成された雄ネジ部がスクリュシャフト４３の周面に形成された雌ネジ部に噛合するようになっている。
【００６２】
光ピックアップガイド機構４０は、光ピックアップ２５の係合部４５ａ，４５ｂをメカユニットシャーシ２１のガイド主軸４１ａ，ガイド副軸４１ｂに係合し、係合部４５ａに設けられたガイドフィード４６の雄ネジ部を、メカユニットシャーシ２１のスクリュシャフト４３の雌ネジ部に噛合し、光ピックアップ２５をメカユニットシャーシ２１にその開口部２２の長手方向（ｘ０軸方向）に沿って摺動可能に支持した構造になっている。
【００６３】
この構造により、スクリュシャフト４３がステップモータ４４によって正又は逆回転されると、光ピックアップ２５は、ステップモータ４４の回転量に応じて、ガイド主軸４１ａ，ガイド副軸４１ｂに沿って、ターンテーブル２３にクランプされた状態の光ディスク２の径方向に沿って進退する構造となっている。
【００６４】
以下では、光ピックアップ２５が、ターンテーブル２３にクランプされた状態の光ディスク２の径方向の中心部から外周側に向かって、ガイド主軸４１ａ及びガイド副軸４１ｂに案内されながら実際に移動する方向をｘ軸正方向とし、互いに平行なガイド主軸４１ａをガイド副軸４１ｂ側から眺めた方向をｙ軸正方向とし、メカユニットシャーシ２１に配置されたスピンドルモータ２４の回転軸をボトムケース１２側からトップケース１１側へ眺めた軸方向をｚ軸正方向として、ｘｙｚ座標系を定義する。
【００６５】
ところで、このようにして得たメカユニットシャーシ２１上における光ピックアップ２５の実際の配置を反映したメカユニット２０のｘｙｚ座標系と、上述したメカユニットシャーシ２１の開口部２２の長手方向（ｘ０軸方向）を基準に定義したメカユニット２０のｘ０ｙ０ｚ０座標系との間では、光ピックアップ２５の光ディスク２に対する対向状態等について、例えば、製品毎の部品それぞれの器差に起因した三次元的な取付角度の違い等によって、両座標系の間の傾きによるずれが生じてしまう。
【００６６】
スキュー調整は、光ピックアップ２５が光ディスク２の径方向に、ディスク中心部側から外周部側へ、又は外周部側から中心部側へ移動するときに、ターンテーブル２３にクランプされた状態の光ディスク２の盤面の記録面に光ピックアップ２５の対物レンズ２６が正しく対向して、光ピックアップ２５から光ディスク２への出射光と光ディスク２から光ピックアップ２５への入射光とが光ディスク２の記録面に対して同じ経路で出入りできるように、光ピックアップ２５をはじめとする各部の三次元的な取付角度を予め調整することを指す。スキュー調整機構は、このスキュー調整ためにメカユニット２０に設けられた機構である。
【００６７】
図示の光ディスク駆動装置１では、スキュー調整機構は、ｘｙｚ座標系におけるｘ軸方向に延びるガイド主軸４１ａ及びガイド副軸４１ｂそれぞれの各軸端部を、各軸端部に対応して各軸端部の近傍に設けられた高さ調整ネジ６１（６１ａｆ，６１ａｒ，６１ｂｆ，６１ｂｒ）を操作して、各軸端部のｙ軸方向に係る高さ位置を独立に調整し、光ピックアップ２５の光ディスク２の盤面に対する正対方向を調整する構造になっている。
【００６８】
次に、スキュー調整機構が設けられたガイド主軸４１ａ及びガイド副軸４１ｂの各軸端部に配置されるガイド軸支持機構６０（６０ａｆ，６０ａｒ，６０ｂｆ，６０ｂｒ）の構成について説明する。ここでは、各ガイド軸支持機構６０（６０ａｆ，６０ａｒ，６０ｂｆ，６０ｂｒ）の構成は同様であるので、ガイド副軸４１ｂのディスク中心部側の軸端部に配置されるガイド軸支持機構６０ｂｆの構成を例に説明する。なお、各ガイド軸支持機構６０（６０ａｆ，６０ａｒ，６０ｂｆ，６０ｂｒ）の中、ガイド主軸４１ａ及びガイド副軸４１ｂそれぞれのディスク外周部側の各軸端部に配置されるガイド軸支持機構６０ａｒ，６０ｂｒについては、ディスク中心部側の各軸端部に配置されるガイド軸支持機構６０ａｆ，６０ｂｆに対し、光ディスク２の搬入・搬出時に光ディスク２をクランプ又はクランプ解除するための光ディスク２の盤面に対する上下動（昇降）を必須としないため、これから説明するガイド軸支持機構６０に代えて従来のガイド軸支持機構を採用することも可能である。
【００６９】
図４は、図３に示したメカユニットのガイド主軸及びガイド副軸それぞれの各軸端部に配置される、スキュー調整機構部を備えたガイド軸支持機構の一実施例の構成図である。
【００７０】
図４（ａ）は、ガイド主軸及びガイド副軸それぞれの各軸端部に配置されたガイド軸支持機構の中、ガイド副軸のディスク中心部側の端部を支持するガイド軸支持機構が配置されたメカユニット部分の部分拡大図である。
【００７１】
図４（ｂ）は、ガイド副軸のディスク中心部側の端部を支持するガイド軸支持機構の構成図であって、図４（ａ）中で、ｙ軸正方向に沿って眺めたメカユニット部分のＢ−Ｂ端面図である。
【００７２】
図４（c）は、図４（ｂ）に示したガイド軸支持機構をｚ軸正方向に沿って眺め、その一部を投影した投影図である。
【００７３】
ガイド主軸４１ａ及びガイド副軸４１ｂからなるガイド軸４１の軸構造は、その軸長方向（図中、ｘ軸方向）に、両端側の軸部分がメカユニットシャーシ２１に支持される被支持軸部６３となり、これら被支持軸部６３，６３間の延設された軸部分が、光ピックアップ２５を摺動可能に支持する支持軸部６２になっている。
【００７４】
その上で、これらガイド軸４１のディスク中心部側の被支持軸部６３と、これに連接する支持軸部６２とは、図４（ｂ）及び図４（ｃ）に示したガイド副軸４１ｂのように、一体的な段付軸部材構造になっている。
【００７５】
すなわち、図４に基づき説明すると、その軸長方向に垂直な軸幅方向の中、スピンドルモータ２４の回転軸の軸方向（ｚ軸方向）に対応する軸幅方向（図中、ｚ軸方向）に係り、ガイド副軸４１ｂの、ディスク中心部側の端部側である被支持軸部６３と、これに連接する支持軸部６２とでは、その軸幅寸法が異なり、支持軸部６２よりも被支持軸部６３の方が、その軸幅方向（ｚ軸方向）と垂直な軸幅方向（ｙ軸方向）から眺めて、軸細形状になっている。これにより、被支持軸部６３におけるスピンドルモータ２４の回転軸の軸方向（ｚ軸方向）に対応する軸幅方向（ｚ軸正方向及び負方向）を向いた一対のそれぞれ外周部が、軸長方向（ｘ軸方向）に隣接する支持軸部６２の軸幅方向（ｚ軸正方向及び負方向）に向いた一対のそれぞれ対応する外周部に対して、軸幅方向（ｚ軸正方向及び負方向）に凹んだ構成になっている。被支持軸部６３は、この一対の凹部６４，６４が支持軸部６２と被支持軸部６３との境界部の段部６５から軸長方向（ｘ軸方向）に沿って軸端まで延びる構成になっている。
【００７６】
このような凹部６４，６４を有するガイド軸４１の実施例としては、例えば、支持軸部６２が円柱状の軸部よりなり、被支持軸部６３がこの支持軸部６２に対して同軸小径の円柱状の軸部よりなる段付円柱状軸部材を適用することができる。この場合、段付円柱状軸部材の大径の軸部の外周部をその軸長方向に光ピックアップ２５が摺動することになる。そして、端部側の小径の軸部の外周部の中の、軸幅方向（ｚ軸方向）に向いた一対のそれぞれ外周部が凹部６４，６４になる。
【００７７】
加えて、ガイド軸４１の凹部６４，６４は、このような段付円柱状軸部材に限らず、種々の形状の軸部材で形成することができる。すなわち、ガイド主軸４１ａ及びガイド副軸４１ｂからなるガイド軸４１はそれ自体が回転するものではないため、ガイド軸４１の支持軸部６２及び被支持軸部６３の軸幅方向（ｚ軸方向）に沿った断面形状は、互いに相似形状である必要もなく、それぞれの断面形状も、円形に限らず矩形等であっても構わない。例えば、円柱状軸部材におけるディスク中心部側の端部側の外周面部分に係り、軸幅方向（ｚ軸方向）に向いた一対の外周部分を軸幅方向（ｚ軸方向）にその軸幅方向（ｚ軸方向）に垂直な軸幅方向に沿って所定容量分だけ除去し、被支持軸部６３を、その軸幅方向（ｚ軸方向）に垂直な弦によって規定される平坦面を備えた凹部６４，６４を備えた形状とすることも可能である。
【００７８】
ディスク中心部側の端部側に上述した被支持軸部６３を備えたガイド軸４１は、被支持軸部６３の各凹部６４，６４をスピンドルモータ２４の回転軸の軸方向（ｚ軸正方向及び負方向）にそれぞれ向けて、メカユニットシャーシ２１に図４（ａ）〜図４（ｃ）に示すようにして支持される。
【００７９】
図示の場合、ガイド副軸４１ｂのディスク中心部側の被支持軸部６３は、軸幅方向（ｚ軸方向）に向いた一対の凹部６４，６４を、スピンドルモータ２４の回転軸の軸方向（ｚ軸方向）と平行な軸方向に向くようにして、ボトムケース１２の底面１２ｐと対向するメカユニットシャーシ２１の載置面２１ｐに配置される。その際、ガイド副軸４１ｂは、被支持軸部６３のｚ軸負方向を向いた一方の凹部６４がメカユニット２０の下面に対向するボトムケース１２の底面１２ｐに対向し、ｚ軸正方向を向いた他方の凹部６４がメカユニットシャーシ２１の載置面２１ｐに対向する状態になる。
【００８０】
ガイド副軸４１ｂをこのように凹部６４，６４の向きを定めてメカユニットシャーシ２１へ配置するにあたっては、メカユニットシャーシ２１の載置面２１ｐとガイド副軸４１ｂの被支持軸部６３のｚ軸正方向を向いた他方の凹部６４との間に、例えばコイルバネといったバネ部材によって形成された付勢バネ６６を軸支持部材として介在させて配置する。付勢バネ６６は、ガイド副軸４１ｂの被支持軸部６３を、載置面２１ｐから離間させるように、ｚ軸負方向に付勢する。これにより、ガイド副軸４１ｂの被支持軸部６３に隣接する支持軸部６２は、付勢バネ６６のｚ軸負方向の付勢力によって、メカユニットシャーシ２１の載置面２１ｐから離間し、浮いた状態になる。なお、このような付勢力を及ぼす軸支持部材としては、バネ部材に限るものではなく、例えば弾性ブッシュのような弾性支持部材を用いてもよい。
【００８１】
一方、付勢バネ６６により弾性支持された他方の凹部６４とは反対側の、ボトムケース１２の底面１２ｐに対向する一方の凹部６４には、軸保持部材として、例えば金属製の板バネ部材によって形成された押圧バネ６７が配置されている。
【００８２】
押圧バネ６７は、例えば、側面形状がクランク形状をした屈曲板バネ部材によって構成され、板状の中間部６７ｑの両端から、鉤の手状に屈曲した板状の押圧部６７ｐと被支持部６７ｒとが互いに逆方向に延びる形態になっている。さらに、被支持部６７ｒには、図示省略した係合片６７ｓが設けられている構成になっている。
【００８３】
押圧バネ６７は、係合片６７ｓを図示せぬ係合部に係合することにより、その中間部６７ｑがガイド副軸４１ｂの軸端面に対向する状態で、一端側の押圧部６７ｐが、ガイド副軸４１ｂの軸端面とモータプレート３１の縁面との間に形成された隙間からボトムケース１２の底面１２ｐ側に臨み、他端側の被支持部６７ｒが、メカユニットシャーシ２１の載置面２１ｐとモータプレート３１との間に形成された空間内に位置するように位置決めされ、メカユニットシャーシ２１の載置面２１ｐに対して近接・離間可能に配置される。その際、一端側の押圧部６７ｐは、ガイド副軸４１ｂのボトムケース１２の底面１２ｐ側に対向する被支持軸部６３の凹部６４上を、ガイド副軸４１ｂの軸端側から軸長方向（ｙ軸方向）に沿って延び、この凹部６４が当接するようになっている。また、他端側の被支持部６７ｒは、メカユニットシャーシ２１の載置面２１ｐとモータプレート３１との間の空間内を、ガイド副軸４1bの軸長方向（ｙ軸方向）に沿って、モータプレート３１に設けられた高さ調整ネジ６１の螺穴位置に到り、高さ調整ネジ６１の先端が当接するようになっている。
【００８４】
これにより、ガイド副軸４１ｂは、その被支持軸部６３の軸幅方向（ｚ軸方向）に向いた一対の相対する凹部６４，６４が、軸支持部材としての付勢バネ６６と軸保持部材としての押圧バネ６７とによって挟持される構成になっている。
【００８５】
その際、押圧バネ６７は、モータプレート３１に設けられた高さ調整ネジ６１の挿入量に応じて、高さ調整ネジ６１の先端が当接する被支持部６７ｒの、メカユニットシャーシ２１の載置面２１ｐからの近接又は離間位置が調整される構成になっている。そして、押圧バネ６７は、この他端側の被支持部６７ｒのメカユニットシャーシ２１の載置面２１ｐとの近接又は離間位置に応じて、中間部６７ｑを介して連接され、ボトムケース１２の底面１２ｐに対向する被支持軸部６３の凹部６４に当接する押圧部６７ｐの、メカユニットシャーシ２１の載置面２１ｐからの近接又は離間位置も、軸支持部材としての付勢バネ６６の付勢力に抗して調整される構成になっている。
【００８６】
これにより、ガイド副軸４１ｂのディスク中心部側の被支持軸部６３は、モータプレート３１に設けられた高さ調整ネジ６１の締め又は緩めに対応した、モータプレート３１内部への挿入量に応じて、メカユニットシャーシ２１の載置面２１ｐとの近接又は離間位置が変位する押圧バネ６７による押圧力に応じて、メカユニットシャーシ２１の載置面２１ｐとの間の距離が変位させられ、ガイド副軸４１ｂのディスク中心部側の端部の、装置筺体１０内におけるボトムケース１２の底面からの支持高さ位置を調整することができるようになっている。
【００８７】
なお、その際、ガイド軸４１の被支持軸部６３の、ボトムケース１２の底面１２ｐに対向する凹部６４の深さ寸法（図中では、ｚ軸方向寸法）は、押圧バネ６７の押圧部６７ｐの板厚よりも大きくなっている。また、押圧バネ６７の、互いに平行で逆向きに延びる押圧部６７ｐと被支持部６７ｒとのずれを規定する中間部６７ｑの長さ寸法（図中、ｚ軸方向寸法）は、押圧部６７ｐがガイド軸４１の被支持軸部６３のボトムケース１２の底面１２ｐに対向する凹部６４に当接させられた状態で、被支持部６７ｒが、ガイド軸４１の支持軸部６２の外周の中、押圧部６７ｐから最も離間した外周部から突出しない寸法になっている。
【００８８】
以上から、軸支持部材としての付勢バネ６６，及び軸保持部材としての押圧バネ６７は、付勢バネ６６による付勢力と押圧バネ６７による押圧力との釣り合いに基づきガイド副軸４１ｂの被支持軸部６３の軸幅方向（ｚ軸方向）に向いた一対の相対する凹部６４，６４を挟持し、ガイド副軸４１ｂのディスク中心部側の端部をメカユニットシャーシ２１に支持するガイド軸支持機構を構成する。また、高さ調整ネジ６１は、軸保持部材としての押圧バネ６７に作用し、その挿入量に応じて付勢バネ６６による付勢力と押圧バネ６７による押圧力との軸幅方向（ｚ軸方向）に係る釣り合い高さ位置を変え、メカユニットシャーシ２１に対するガイド副軸４１ｂのディスク中心部側の端部の支持高さ位置を変える高さ調整機構を構成する。
【００８９】
このようなガイド軸支持機構及び高さ調整機構によれば、ガイド副軸４１ｂのディスク中心部側の端部部分を直接、高さ調整ネジ６１で押圧せず、押圧バネ６７を介してガイド副軸４１ｂの被支持軸部６３を間接的に押圧する構成となっているので、高さ調整ネジ６１の作用点はガイド副軸４１ｂのディスク中心部側の端部部分の外周位置を配置する必要がなくなり、ガイド副軸４１ｂの被支持軸部６３と高さ調整ネジ６１とをガイド副軸４１ｂの軸長方向（ｘ軸方向）に重なるようにして配置することが可能になる。これにより、高さ調整ネジ６１もガイド副軸４１ｂの端部部分の外周位置にネジ先端を位置させ、その外周位置からさらに外方にネジが延びることもなくなり、ガイド副軸４１ｂに限らず、メカユニット２０の一対のガイド軸４１それぞれのガイド軸支持機構及び高さ調整機構が設けられた部分の、スピンドルモータ２４の回転軸の軸方向（ｚ軸方向）に係る寸法を小さくできる。すなわち、図２（ａ）において破線部分Ａで示した、メカユニット２０の長手方向（ｘ０軸方向）の光ディスク２の中心孔２ａ部分に対面する側の部分を薄型化することができる。
【００９０】
さらに、本実施の形態では、ガイド軸４１を段付軸部材構造とし、ガイド軸４1の被支持軸部６３の軸幅方向（ｚ軸方向）に向いた一対の相対する凹部６４，６４に、付勢バネ６６の一部や押圧バネ６７の押圧部６７ｐを配置したので、より一層の薄型化ができる。
したがって、本実施の形態に係る光ディスク駆動装置１によれば、高さ調整ネジ６１ａ〜６１ｄをねじ込む、又は緩めることにより、ガイド主軸４１ａ及びガイド副軸４１ｂそれぞれの両端の高さを調節できる。これにより、光ピックアップ２５の三次元的な取付角度を調整することができる。これら４か所の高さ調整機構は、スキュー調整機構として機能する。製造時に高さ調整ネジ６１ａ〜６１ｄを調整後、接着剤等で各々最適な位置に固定することにより、スキュー調整をすることができる。
【００９１】
ところで、製造後は高さ調整ネジ６１ａ〜６１ｄを回転させることはないが、外部からの衝撃等により高さ調整機構を構成する押圧バネ６７等の部品に塑性変形が生じた場合、調整された高さにずれが生じ、光ピックアップ２５が望ましくない取付角度に変化する可能性がある。この角度の変化が発生すると、光ディスク駆動装置１の記録・再生性能が劣化する。
【００９２】
そこで、本実施の形態に係る光ディスク駆動装置１では、軸支持部材としての付勢バネ６６と軸保持部材としての押圧バネ６７とによって挟持される被支持軸部６３の軸幅方向（ｚ軸方向）に向いた一対の相対する凹部６４，６４には、外部からの衝撃等により、押圧バネ６７が変形させられ、ガイド副軸４１ｂのディスク中心部側の端部がメカユニットシャーシ２１から脱落するのを防止する変位規制部材として脱落防止片６８も配置されている。
【００９３】
脱落防止片６８は、例えば金属の板状部材によって形成され、中間部に適宜屈曲した規制部６８ｑが形成され、両端側がそれぞれ取付孔が形成された取付部６８ｐ，６８ｒになっている。脱落防止片６８は、その規制部６８ｑを、押圧バネ６７の押圧部６７ｐが当接させられたガイド副軸４１ｂのボトムケース１２の底面１２ｐに対向する凹部６４部分に、スピンドルモータ２４の回転軸の軸方向（ｚ軸方向）に垂直な軸幅方向（ｙ軸方向）に沿って架橋し、両端側の取付部６８ｐ，６８ｒをメカユニットシャーシ２１にボルト締結して、メカユニットシャーシ２１に一体的に固定される。その際、図示の例では、脱落防止片６８の一方の取付部６８ｐは、モータプレート３１をメカユニットシャーシ２１に一体的に締結するボルトを共用できるように、モータプレート３１の最寄の取付孔位置まで延び、モータプレート３１と一体的にメカユニットシャーシ２１にボルト締結される構成になっている。
【００９４】
脱落防止片６８は、高さ調整機構の高さ調整ネジ６１の調整によって押圧バネ６７の被支持部６７ｒがモータプレート３１に当接する前に、その規制部６８ｑがガイド副軸４１ｂの被支持軸部６３の凹部６４に配置された押圧バネ６７の押圧部６７ｐに当接する形状になっている。これにより、モータプレート３１をメカユニットシャーシ２１に取付固定した状態で、高さ調整ネジ６１の緩め調整する際、高さ調整ネジ６１の先端が押圧バネ６７の被支持部６７ｒから離間するのを把握でき、その際でもガイド副軸４１ｂの被支持軸部６３は、脱落防止片６８の規制部６８ｑによって押圧部６７ｐの背後を支持された押圧バネ６７と付勢バネ６６とによって挟持される構成になっている。
【００９５】
また、脱落防止片６８の規制部６８ｑの板厚は、押圧バネ６７の押圧部６７ｐの板厚と同様、ガイド副軸４１ｂの被支持軸部６３のボトムケース１２の底面１２ｐに対向する凹部６４の深さ寸法（図中では、ｚ軸方向寸法）よりも小さくなっている。さらに、この凹部６４の深さ寸法と、押圧バネ６７の押圧部６７ｐの板厚及び脱落防止片６８の規制部６８ｑの板厚との関係は、凹部６４の深さ寸法が、押圧バネ６７の押圧部６７ｐの板厚と脱落防止片６８の規制部６８ｑの板厚との合計寸法以上になるように形成されている。
【００９６】
そして、メカユニットシャーシ２１に押圧バネ６７と付勢バネ６６とによって挟持されるガイド副軸４１ｂの被支持軸部６３部分は、脱落防止片６８の規制部６８ｑによりボトムケース１２の底面１２ｐ側に囲まれているので、光ディスク駆動装置１の装置筐体１０に大きな衝撃が加わった場合であっても、ガイド副軸４１ｂの被支持軸部６３を付勢バネ６６と協働して挟持する押圧バネ６７の押圧部６７ｐの背後が、脱落防止片６８の規制部６８ｑによって保護され、必要に応じて支持されるので、メカユニットシャーシ２１からガイド副軸４１ｂが脱落してしまうのを防ぐことができ、押圧バネ６７，付勢バネ６６等といった、高さ調整機構を構成する部品の衝撃に対する剛性も確保できる。
【００９７】
次に、この脱落防止片６８の上述した作用について、比較例と対照しながら説明する。
図５は、比較例に係る光ディスク駆動装置のメカユニットに設置されたスキュー調整機構部を備えたガイド軸支持機構の構成図である。
【００９８】
図５（ａ）は、比較例のガイド副軸のディスク中心部側の端部を支持するガイド軸支持機構を、図４（ｂ）の場合と同様にｙ軸正方向に沿って眺めた構成端面図である。
【００９９】
図５（ｂ）は、図５（ａ）に示したガイド軸支持機構をｚ軸正方向に沿って眺め、その一部を投影した投影図である。
【０１００】
なお、図示した比較例の説明においては、本実施の形態に係る光ディスク駆動装置１のガイド軸支持機構と同様又は対応する構成については、同一符号を付し、その詳細についての説明は省略する。
【０１０１】
比較例に係るガイド軸支持機構では、脱落防止片６８は、第１の脱落防止片６８１と第２の脱落防止片６８２とを備えており、第１の脱落防止片６８１の規制部６８１ｑは、ガイド副軸４１ｂの支持軸部６２の端部側の外周部に係合可能に構成され、第２の脱落防止片６８２の規制部６８２ｑは、押圧バネ６７の押圧部６７ｐと軸長方向（ｙ軸方向）に並んで配置され、被支持軸部６３のボトムケース１２の底面１２ｐに対向する凹部６４に係合可能に構成されている。
【０１０２】
図４及び図５において、例えば、光ディスク駆動装置１がボトムケース１２を下面にして落下し、地面に衝突した瞬間、光ディスク駆動装置１には落下方向と逆向き、すなわち、図中のｚ軸正方向の衝撃加速度が発生する。このとき、ガイド副軸４１ｂには、図４（ｂ），図５（ａ）に示す慣性力Ｆが生じる。慣性力Ｆは、ガイド副軸４１ｂ及びこれに沿って摺動する光ピックアップ２５の質量によるものである。この慣性力Ｆを受けたガイド副軸４１ｂにより、押圧バネ６７がｚ軸負方向の力を受ける。その際、外部からの衝撃が大きい場合、ガイド軸支持機構及び高さ調整機構からガイド副軸４１ｂが脱落する恐れがある。若しくは、押圧バネ６７が塑性変形してしまう恐れがある。仮に、押圧バネ６７がｚ軸方向に塑性変形してしまうと、調整されたスキューが変化し、記録再生性能が劣化する。
【０１０３】
これを防止するため、比較例に係る光ディスク駆動装置のガイド軸支持機構では、図５に示すように、第１の脱落防止片６８１の規制部６８１ｑがガイド副軸４１ｂの支持軸部６２と重なり、押圧バネ６７とは重ならない位置に配置されていた。
【０１０４】
この構造によっても、ガイド副軸４１ｂが外部からの衝撃によりｚ軸負方向に変位しようとしたときに速やかに第１の脱落防止片６８１の規制部６８１ｑと接触し、その変位が規制される。これにより、押圧バネ６７の塑性変形や、ガイド副軸４１ｂのガイド軸支持機構及び高さ調整機構からの脱落も防止できる。
【０１０５】
しかし、図５における第１の脱落防止片６８１のように、ガイド副軸４１ｂの光ピックアップ２５を摺動可能に支持する支持軸部６２の外周部に対して脱落防止片を配置した場合は、その厚み分だけｚ軸方向にメカユニット２０が大型化する。
【０１０６】
これに対し、図５における第２の脱落防止片６８２のように、規制部６８２ｑが、押圧バネ６７の押圧部６７ｐと軸長方向（ｙ軸方向）に並んで配置され、被支持軸部６３のボトムケース１２の底面１２ｐに対向する凹部６４に係合する構成の場合は、ガイド副軸４１ｂにおける被支持軸部６３が占める長さ割合が大きくなり、光ピックアップ２５の移動が妨げられるようになるため、光ピックアップ２５の移動幅が小さくなる。そのため、第２の脱落防止片６８２を設置しない場合と同じ光ピックアップ２５の移動長を確保するためには、より長いガイド副軸４１ｂを用いなければならず、さらに、被支持軸部６３自体の軸長も長くしなければならず、ｘ軸方向にメカユニット２０が大型化する。
【０１０７】
このような比較例に対し、本実施の形態に係る光ディスク駆動装置１では、図４に示すように、押圧バネ６７の変位を直接規制する軸長方向（ｘ軸方向）の位置に脱落防止片６８を配置した。すなわち図４（ｃ）に示すように、ｚ軸方向へ脱落防止片６８の規制部６８ｑの投影において、脱落防止片６８を押圧バネ６７と重なる軸長方向（ｘ軸方向）の位置に配置した。
【０１０８】
これより、押圧バネ６７が外部からの衝撃によりｚ軸負方向に変形したときに速やかに脱落防止片６８の規制部６８ｑと接触し、変位が規制されるため、押圧バネ６７の塑性変形を防止できる。また、脱落防止片６８は、図４（ｃ）に示すように、ガイド副軸４１ｂの被支持軸部６３以外では重ならず、被支持軸部６３の凹部６４で押圧バネ６７のみと重なる位置に配置することで、図５に示した第１の脱落防止片６８１のようにガイド副軸４１ｂの支持軸部６２と重なる場合と比べて、メカユニット２０をｚ軸方向に薄型な構造とすることができる。
【０１０９】
また、押圧バネ６７と脱落防止片６８がｘ軸方向に並列しないため、図５に示した第２の脱落防止片６８２のように押圧バネ６７とｘ軸方向に並列する場合と比べて、ガイド副軸４１ｂの被支持軸部６３の軸長を短くすることができ、メカユニット２０のディスク中心部側の形態を小型な形態とすることができる。
【０１１０】
このように、押圧バネ６７を直接規制する位置に脱落防止片６８を配置することで、最も効率よく部品を配置することができ、小型で耐衝撃性能に優れた光ディスク駆動装置１を提供することができる。
【０１１１】
すなわち、前述のように押圧バネ６７は高さ調整機構の一部であり、高さ調整の際はｚ軸方向に移動する。脱落防止片６８は、高さ調整の際の押圧バネ６７の移動範囲を除く位置に配置されているため、高さ調整機構への影響はない。ここで、脱落防止片６８は押圧バネ６７のｚ軸方向に移動範囲と干渉しない範囲で、押圧バネ６７となるべく近い位置に、凹部６４に配置することが望ましい。これは衝撃による押圧バネ６７の変位をなるべく速やかに規制するためと、メカユニット２０、ひいては装置筐体１０をなるべく薄型とするためである。また、脱落防止片６８は、大きな衝撃力による部品の変位を規制するものであるから、ケース１１，１２又はそれに搭載されたメカユニットシャーシ２１等の固定部品と、図４に示したように２点以上で固定されていることが望ましい。これは、脱落防止片６８を片持ち支持で押圧バネ６７の変形やガイド軸４１の脱落を規制するよりも、脱落防止片６８を複数点で固定し両端支持とした方が変位規制時の剛性が大きくなり、押圧バネ６７の変位規制効果が大きくなるためである。
【０１１２】
ここで、押圧バネ６７や付勢バネ６６として板バネやコイルバネの代わりに、他の弾性部材を用いてもよい。また、これらによる支持が複数であってもよい。
【０１１３】
次に、本発明の別の実施の形態に係るスリムスロットイン方式の光ディスク駆動装置について、図６及び図７を用いて説明する。
【０１１４】
図６は、脱落防止片としてモータプレートの一部を利用したスキュー調整機構の構造を示した斜視図である。
【０１１５】
図７は、脱落防止片としてシャーシの一部を利用したスキュー調整機構の構造を示した斜視図である。
【０１１６】
図６に示す光ディスク駆動装置１のメカユニット２０では、脱落防止片６８として、モータプレート３１の延長部３１ｅを利用して構成されている。
【０１１７】
モータプレート３１は、メカユニットシャーシ２１に３点でボルト締結されている他、脱落防止片６８としてのモータプレート延長部３１ｅが一体形成されている。脱落防止片６８としてのモータプレート延長部３１ｅも、このモータプレート３１自体のメカユニットシャーシ２１に対するボルト締結に加えて、同じくメカユニットシャーシ２１で別途ボルト締結されている。
【０１１８】
図７に示す光ディスク駆動装置１のメカユニット２０では、脱落防止片６８として、メカユニットシャーシ２１のシャーシ折り曲げ部２１ｅを利用したものである。
【０１１９】
シャーシ折り曲げ部２１ｅはアーチ状になっており、その両端がシャーシ２１と一体である。
【０１２０】
このように、脱落防止片６８の構成は、押圧バネ６７を直接規制する位置に配置できるものであるならば、上記の実施の形態のように、脱落防止片６８として既存の部品の一部を利用してもよい。これらの場合、脱落防止片６８として別部材を用いる場合に比べて部品点数が減少し、組み立て工数の減少や材料費の低減により安価で耐衝撃性能に優れたディスク駆動装置を提供することができる。ここで、脱落防止片６８として利用する既存の部品は、メカユニット２０の構成部品であればモータプレート３１やシャーシ２１以外であってもよい。また、この構造自体は、複数であってもよい。
【符号の説明】
【０１２１】
１  光ディスク駆動装置、  ２  光ディスク、  ２ａ  中心孔、  １０  装置筐体、  １１  トップケース、  １２  ボトムケース、  １３  開口部、  １４  ベゼル、  １５  スリット、  １６  端子孔、  １７  クランプ解除ピン、  ２０  メカユニット、  ２１  メカユニットシャーシ、  ２２  開口部、  ２３  ターンテーブル、  ２４  スピンドルモータ、  ２５  光ピックアップ、  ２６  対物レンズ、  ２７  支持ピン、  ２８  防振脚、  ２９  挿通孔、  ３１  モータプレート、  ４０  光ピックアップガイド機構、  ４１  ガイド軸、 ４１ａ ガイド主軸、  ４１ｂ  ガイド副軸、  ４３  スクリュシャフト、  ４４  ステップモータ、  ４５  係合部、  ４６  ガイドフィード、  ５０  ブラケットリンク、  ５１  基盤シャーシ、  ５２  開口部、  ５３  ディスク搬送アーム、  ５５  外部接続端子、  ６０  ガイド軸支持機構、  ６１  高さ調整ネジ、  ６２  支持軸部、  ６３  被支持軸部、  ６４  凹部、  ６５  段部、  ６６  付勢バネ、  ６７  押圧バネ、  ６７ｐ  押圧部、  ６７ｑ  中間部、  ６７ｒ  被支持部、  ６７ｓ  係合片、  ６８  脱落防止片、  ６８ｐ  取付部、  ６８ｑ  規制部、  ６８ｒ  取付部、  ６８１  第１の脱落防止片、  ６８２  第２の脱落防止片、
【図１】
2013051008.tif 000003
【図２】
2013051008.tif 000004
【図３】
2013051008.tif 000005
【図４】
2013051008.tif 000006
【図５】
2013051008.tif 000007
【図６】
2013051008.tif 000008
【図７】
2013051008.tif 000009